(57)【特許請求の範囲】
【請求項１】
ＩＥＥＥ１３９４シリアルバス（１４）を介して接続される記録媒体再生用ソース機器（１２，１３）及びコントロール機器（１１）を有しているＩＥＥＥ１３９４シリアルバス装備ＡＶシステム（１０）において、
前記記録媒体再生用ソース機器（１２，１３）は、前記コントロール機器（１１）からの指示を受けて前記ＡＶ用記録媒体を再生しその再生したＡＶデータを転送するときは、先にアイソクロナス・リソースの割当てを受けてから、前記ＡＶ用記録媒体の再生を開始するものであり、
前記アイソクロナス・リソースの割当ての要請は、前記コントロール機器（１１）によって、前記記録媒体再生用ソース機器（１２，１３）へ再生指示が送られる前に行われ、かつその割当てを受けたアイソクロナス・リソースは、前記コントロール機器（１１）によって、前記記録媒体再生用ソース機器（１２，１３）へ通知され、
前記アイソクロナス・リソースの割当ての最初の要請は、前記コントロール機器（１１）が、複数のＩＥＥＥ１３９４シリアルバス接続機器の中から所定のＩＥＥＥ１３９４シリアルバス接続機器を選択する再生用ソース機器選択ＧＵＩ画面（２８）から、ユーザの選択した前記記録媒体再生用ソース機器（１２，１３）についての前記再生指示を受け付けることができるソース機器操作用ＧＵＩ画面（３０）へ切り替わる時に行うことを特徴とするＩＥＥＥ１３９４シリアルバス装備ＡＶシステム。
【請求項２】
前記コントロール機器（１１）が、前記ソース機器操作用ＧＵＩ画面（３０）を表示したにもかかわらず、なお、アイソクロナス・リソースの割当てを受けられないときは、適宜の時間間隔でアイソクロナス・リソースの割当てを再要請するとともに、まだ、割当てを受けない旨をユーザへ知らせることを特徴とする請求項１記載のＩＥＥＥ１３９４シリアルバス装備ＡＶシステム。
【請求項３】
前記コントロール機器（１１）が、前記ソース機器操作用ＧＵＩ画面（３０）を表示したにもかかわらず、なお、アイソクロナス・リソースの割当てを受けられないときは、再生操作によるもかかわらず再生指示が前記コントロール機器（１１）から前記記録媒体再生用ソース機器（１２，１３）へ転送されないようになっていることを特徴とする請求項１又は２記載のＩＥＥＥ１３９４シリアルバス装備ＡＶシステム。
【請求項４】
前記コントロール機器（１１）は、前記記録媒体再生用ソース機器（１２，１３）の再生停止中であっても、ユーザが前記ソース機器操作用ＧＵＩ画面（３０）を閉じる操作を行わない限り、割当てられたアイソクロナス・リソースを解放しないことを特徴とする請求項１〜３のいずれかに記載のＩＥＥＥ１３９４シリアルバス装備ＡＶシステム。
【発明の詳細な説明】
【０００１】
【発明の属する技術分野】
この発明は、ＣＤプレーヤー等の記録媒体再生用ソース機器を含みＩＥＥＥ１３９４（正式には、ＩＥＥＥ１３９４−１９９５であるが、本発明明細書では、ＩＥＥＥ１３９４と略す。）シリアルバスを介してＡＶデータの転送を行うＩＥＥＥ１３９４シリアルバス装備ＡＶシステムに関するものである。
【０００２】
【従来の技術】
ＡＶ機器をＩＥＥＥ１３９４シリアルバスにより接続し、ＩＥＥＥ１３９４シリアルバスを介してコマンドやＡＶデータをそれぞれアシンクロナス転送及びアイソクロナス転送することが提案されている。
【０００３】
【発明が解決しようとする課題】
ＩＥＥＥ１３９４シリアルバスで接続した機器同士のデータ転送では、各機器は、アイソクロナス・リソース・マネージャーと呼ばれるノードに、アイソクロナス・リソースとしてのチャネル及び帯域幅の割当てを受け、その割当てを受けたアイソクロナス・リソースを使って、データを転送するようになっている。しかし、アイソクロナス・リソースが他の機器にすでに割当て済みで、チャネル及び帯域幅の少なくとも一方の割当てを受けられない場合が生じる。例えばＡＶレシーバー及びＣＤプレーヤーがＩＥＥＥ１３９４シリアルバスにより接続されていて、ＣＤを聞くときに、アイソクロナス・リソースの割当てが間に合わず、ＣＤプレーヤーが再生開始してしまったときは、再生オーディオデータの先頭の部分がＡＶレシーバーへ送られて来ず、曲の先頭の部分を聞けないというこになる。
【０００４】
この発明の目的は、上述の問題点を克服できるを提供することである。
【０００５】
【課題を解決するための手段】
この発明のＩＥＥＥ１３９４シリアルバス装備ＡＶシステム（１０）は、ＩＥＥＥ１３９４シリアルバス（１４）を介して接続される記録媒体再生用ソース機器（１２，１３）及びコントロール機器（１１）を有している。記録媒体再生用ソース機器（１２，１３）は、コントロール機器（１１）からの指示を受けてＡＶ用記録媒体を再生しその再生したＡＶデータを転送するときは、先にアイソクロナス・リソースの割当てを受けてから、ＡＶ用記録媒体の再生を開始する。
【０００６】
ＡＶとは、オーディオ（Ａｕｄｉｏ）とビデオ（Ｖｉｄｅｏ）とを意味するが、本明細書では、ＡＶとは、オーディオとビデオとの両方の場合だけでなく、オーディオのみ、及びビデオのみの場合も含むものとして使用している。すなわち、例えば、ＡＶデータとは、オーディオ及びビデオの混合データだけでなく、オーディオのみのデータ、及びビデオのみのデータを包含するものとする。同様に、ＡＶ用記録媒体とは、オーディオ及びビデオの両方を記録したＡＶ用記録媒体（例：ＤＶＤ）のみならず、オーディオのみ又はビデオのみを記録したＡＶ用記録媒体（例：ＣＤやＭＤ）を含む。
【０００７】
記録媒体再生用ソース機器（１２，１３）には、例えば、ＡＶレシーバー（１１）、ＭＤ録音・再生機（１３）、ＤＶＤプレーヤ、及びビデオプレーヤ等を含む。また、パソコンに使用される光ディスクドライブ、例えばＣＤドライブ装置やＤＶＤドライブ装置は、オーディオやビデオ用のＣＤやＤＶＤ等をセットされて、その再生と再生データの転送を行うことが考えられており、そのような場合は、ＣＤドライブ装置やＤＶＤドライブ装置はＣＤプレーヤやＤＶＤプレーヤの一種とみなされる。コントロール機器（１１）には、通常のＩＥＥＥ１３９４シリアルバス装備ＡＶシステム（１０）では、レシーバ等であるが、パソコンシステムのパソコンも、プレーヤ等を制御して、プレーヤにＡＶ用記録媒体の再生及びその転送を行わせる場合があり、パソコンも包含される。
【０００８】
アイソクロナス・リソースの割当てを要請するのは、コントロール機器（１１）及び記録媒体再生用ソース機器（１２，１３）のいずれであってもよいものとする。また、アイソクロナス・リソースの割当て要請は、コントロール機器（１１）が記録媒体再生用ソース機器（１２，１３）へＡＶ用記録媒体の再生を指示した後であってもよい。その場合は、記録媒体再生用ソース機器（１２，１３）は、コントロール機器（１１）より再生指示を受け付けても、直ちにＡＶ用記録媒体の再生開始をせず、アイソクロナス・リソースが割当てられてから、ＡＶ用記録媒体を再生を開始する。
【０００９】
記録媒体再生用ソース機器（１２，１３）からの再生ＡＶデータを受信するＩＥＥＥ１３９４シリアルバス接続機器はコントロール機器（１１）に限定されない。コントロール機器（１１）及び記録媒体再生用ソース機器（１２，１３）以外の録音機等の他のＩＥＥＥ１３９４シリアルバス接続機器であってもよい。
【００１０】
こうして、記録媒体再生用ソース機器（１２，１３）が、ＡＶ用記録媒体の再生を開始する前に、ＡＶ用記録媒体の再生ＡＶデータを、ＩＥＥＥ１３９４シリアルバス（１４）を介して転送するためのアイソクロナス・リソースの割当てが確保されるので、ＡＶ用記録媒体の再生が始まったにもかかわらず、アイソクロナス・リソースの割当てが間に合わずに、再生ＡＶデータの先頭部分を転送できないという事態を防止することができる。
【００１１】
この発明のＩＥＥＥ１３９４シリアルバス装備ＡＶシステム（１０）によれは、アイソクロナス・リソースの割当ての要請は、コントロール機器（１１）が、記録媒体再生用ソース機器（１２，１３）へ再生指示を出す前に、自ら行ない、かつその割当てを受けたアイソクロナス・リソースを記録媒体再生用ソース機器（１２，１３）へ通知する。
【００１２】
再生指示を出すコントロール機器（１１）が、アイソクロナス・リソースの割当てを要請し、割当てを確認してから、再生指示を出すことになるので、一連の処理が能率的かつ円滑となる。
【００１３】
この発明のＩＥＥＥ１３９４シリアルバス装備ＡＶシステム（１０）によれば、アイソクロナス・リソースの割当ての最初の要請は、コントロール機器（１１）が、複数のＩＥＥＥ１３９４シリアルバス接続機器の中から所定のＩＥＥＥ１３９４シリアルバス接続機器を選択する再生用ソース機器選択ＧＵＩ画面（２８）から、ユーザの選択した記録媒体再生用ソース機器（１２，１３）のソース機器操作用ＧＵＩ画面（３０）へ切り替わる時に行なう。
【００１４】
アイソクロナス・リソースの割当ての最初の要請に対して、アイソクロナス・リソースが果たして割当てられるか不確定であるが、通常は、１回の要請でアイソクロナス・リソースの割当てが受けられて、ソース機器操作用ＧＵＩ画面（３０）の表示段階では、アイソクロナス・リソースの割当て済みとなっている。したがって、ソース機器操作用ＧＵＩ画面（３０）が表示されて、ユーザがソース機器操作用ＧＵＩ画面（３０）において再生指示を行うや、再生ＡＶデータの転送が支障なく行われる。
【００１５】
この発明のＩＥＥＥ１３９４シリアルバス装備ＡＶシステム（１０）によれば、コントロール機器（１１）が、ソース機器操作用ＧＵＩ画面（３０）を表示したにもかかわらず、なお、アイソクロナス・リソースの割当てを受けられないときは、適宜の時間間隔でアイソクロナス・リソースの割当てを再要請するとともに、まだ、割当てを受けない旨をユーザへ知らせる。
【００１６】
まだアイソクロナス・リソースの割当てを受けない旨は、例えばソース機器操作用ＧＵＩ画面（３０）の中に表示される。ユーザは、これにより、再生開始ができないことを的確に知ることができる。
【００１７】
この発明のＩＥＥＥ１３９４シリアルバス装備ＡＶシステム（１０）によれば、コントロール機器（１１）が、ソース機器操作用ＧＵＩ画面（３０）を表示したにもかかわらず、なお、アイソクロナス・リソースの割当てを受けられないときは、再生操作によるもかかわらず再生指示がコントロール機器（１１）から記録媒体再生用ソース機器（１２，１３）へ転送されないようになっている。
【００１８】
記録媒体再生用ソース機器（１２，１３）からの再生ＡＶデータの適切な転送ができないにもかかわらず、ユーザがソース機器操作用ＧＵＩ画面（３０）において誤って記録媒体再生用ソース機器（１２，１３）の再生指示を出しても、その指示はコントロール機器（１１）から記録媒体再生用ソース機器（１２，１３）へ送られないので、記録媒体再生用ソース機器（１２，１３）において不適切な再生開始が行われるを回避できる。
【００１９】
この発明のＩＥＥＥ１３９４シリアルバス装備ＡＶシステム（１０）によれば、コントロール機器（１１）は、記録媒体再生用ソース機器（１２，１３）の再生停止中であっても、ユーザがソース機器操作用ＧＵＩ画面（３０）を閉じる操作を行わない限り、割当てられたアイソクロナス・リソースを解放しない。
【００２０】
ユーザは、記録媒体再生用ソース機器（１２，１３）の再生を停止したり、再開したりすることがあるが、ソース機器操作用ＧＵＩ画面（３０）の表示中は、記録媒体再生用ソース機器（１２，１３）の再生の再開の可能性が高く、アイソクロナス・リソースの割当てを保持することにより、円滑に記録媒体再生用ソース機器（１２，１３）の再生再開を行うことができる。
【００２１】
【発明の実施の形態】
以下、発明の実施の形態について図面を参照して説明する。
図１はＡＶシステム１０の構成図である。ＡＶレシーバー１１、ＣＤプレーヤー１２、及びＭＤ録音・再生機１３は、ＩＥＥＥ１３９４シリアルバス１４により接続され、ＡＶレシーバー１１は、再生や停止等のコマンドをアシンクロナス転送し、ＭＤ録音・再生機１３及びＩＥＥＥ１３９４シリアルバス１４は、再生により生成したＡＶデータをアイソクロナス転送する。ＩＥＥＥ１３９４シリアルバス１４には、適宜、ソース機器１７が接続されたり、切り離されたりし、ＩＥＥＥ１３９４シリアルバス１４には、ＤＶＤプレーヤやテーププレーヤ等の記録媒体再生用ソース機器以外にチューナ等の再生機能のないソース機器も含まれる。ＡＶレシーバー１１は、ＩＥＥＥ１３９４シリアルバス１４とは別の信号ケーブルを介してモニタ２０及びスピーカー２１との間でデータを送受するとともに、光や赤外線等のコードレスでハンディリモコン２２との間でデータを送受する。ハンディリモコン２２は、ユーザへ情報を知らせる表示部２３、及びユーザが操作するキー２４を備えている。
【００２２】
図２は表示部２３における機器選択ＧＵＩ画面２８を例示している。機器アイコン２９が機器選択ＧＵＩ画面２８の左端部に整列状態で配置される。各機器アイコン２９の意味は、次のとおりである。
ＡＶ  ｍａｓｔｅｒ：ＡＶシステム１０の名称例
ＡＭＰ：アンプ
ＴＵＮＥＲ：チューナ
ＳＰ：スピーカ
ＤＳＰ：ディジタル信号プロセッサ
ＩＮＥＴ：インターネット
ＣＤ：ＣＤプレーヤー１２
ＭＤ：ＭＤ録音・再生機１３
ＴＶ：モニタ２０
【００２３】
機器選択ＧＵＩ画面２８では、機器アイコン２９の選択の他に、音量（Ｖｏｌｕｍｅ）、時間合わせ（Ｃｌｏｃｋ）、及びパワーのオン、オフ切替（Ｐｏｗｅｒ）がてぎるようになっている。
【００２４】
図３は図２においてＣＤプレーヤー１２が選択されたときに表示されるＣＤプレーヤー操作用ＧＵＩ画面３０の表示例である。ＣＤプレーヤー操作用ＧＵＩ画面３０は、機器選択ＧＵＩ画面２８の上に不透過で重ねて表示される。図では、現在、ＣＤプレーヤー１２における１番目のトレーのＣＤの５番目の曲が選択されている。ユーザによるハンディリモコン２２のキー２４の操作により、ＣＤプレーヤー操作用ＧＵＩ画面３０上で再生キーアイコン３１を選択、確定すると（確定はキー２４の中のＥｎｔｅｒキーの操作により行われる。）、ＡＶレシーバー１１からＭＤ録音・再生機１３へＩＥＥＥ１３９４シリアルバス１４を介して再生コマンドがアシンクロナス転送される。ユーザによるハンディリモコン２２のキー２４の操作により、ＣＤプレーヤー操作用ＧＵＩ画面３０上でイグズィットキーアイコン３２を選択、確定すると、ＣＤプレーヤー操作用ＧＵＩ画面３０が閉じられて、図２の機器選択ＧＵＩ画面２８へ戻る。
【００２５】
図４及び図５はＣＤ等を再生してＣＤプレーヤー１２等からオーディオやビデオのＡＶデータを出力させる際の処理のフローチャートである。ハンディリモコン２２の表示部２３は初期状態で機器選択ＧＵＩ画面２８（図２）となっている。ユーザは、機器選択ＧＵＩ画面２８において所定の記録媒体再生用ソース機器、例えばＣＤプレーヤー１２を選択すると（Ｓ４０）、表示部２３には、選択した記録媒体再生用ソース機器に対応する操作画面（以下、機器選択ＧＵＩ画面２８においてＣＤプレーヤー１２の機器アイコン２９が選択され、ＣＤプレーヤー操作用ＧＵＩ画面３０が表示されたとして、説明を続ける。）が呼び出され、表示される（Ｓ４１）。ＣＤプレーヤー操作用ＧＵＩ画面３０の表示と並行して、ＡＶレシーバー１１は、ＩＥＥＥ１３９４シリアルバス１４により接続されているノードの中のアイソクロナス・リソース・マネージャーへアイソクロナス・リソースの割当てを要請する。ＩＥＥＥ１３９４シリアルバス１４で接続されている複数の機器は、ＩＥＥＥ１３９４シリアルバス１４の接続の仕方により、アイソクロナス・リソース・マネージャーが決まるようになっている。したがって、アイソクロナス・リソース・マネージャーが、ＡＶレシーバー１１になることもあるし、ＣＤプレーヤー１２になることもある。次に、割当てを要請したアイソクロナス・リソースを取得できたか否かを判定し（Ｓ４３）、取得できれば、Ｓ５５へ進み、取得できなければ、Ｓ４４へ進む。ＩＥＥＥ１３９４シリアルバス１４がビジーであるとき、すなわち、すでにアイソクロナス転送のための全部のチャネルが割当て済みとなっているか、又はアイソクロナス転送のための周波数帯域が全部割当て済みとなっているとき、その旨をＣＤプレーヤー操作用ＧＵＩ画面３０に表示する（Ｓ４４）。この表示中は、ＣＤプレーヤー操作用ＧＵＩ画面３０における再生キーアイコン３１の操作は無効となり、ユーザがたとえ再生キーアイコン３１を操作（選択、確定）しても、ＡＶレシーバー１１からＣＤプレーヤー１２への再生指示のアシンクロナス転送は保留される。以降、ＡＶレシーバー１１は、アイソクロナス・リソースの割当てを受けられるまで（Ｓ４６）、一定の時間間隔、例えば１秒ごとにアイソクロナス・リソース・マネージャーへアイソクロナス・リソースの割当てを要請する（Ｓ４６）。アイソクロナス・リソースが取得されると、ＣＤプレーヤー操作用ＧＵＩ画面３０における再生キーアイコン３１の操作による再生指示が有効、すなわちユーザによる再生キーアイコン３１の操作を受け付けて、ＡＶレシーバー１１からＣＤプレーヤー１２へ再生コマンドをアシンクロナス転送する状態になる（Ｓ４７）。
【００２６】
ＣＤプレーヤー操作用ＧＵＩ画面３０の再生キーアイコン３１の操作が有効になっている場合に、すなわち、アイソクロナス・リソースの割当てが受けられた後、ユーザが再生キーアイコン３１を選択、確定すると（Ｓ５５）、ＡＶレシーバー１１は、アイソクロナス・リソース・チャネルを受信開始状態になるとともに（Ｓ５６）、ＣＤプレーヤー１２へ、再生コマンドをアシンクロナス転送するとともに、割当てを受けたアイソクロナス・リソース（チャネル及び帯域幅）をアイソクロナス転送する。ＣＤプレーヤー１２は、ＣＤの再生を開始するとともに、ＡＶレシーバー１１から通知を受けたアイソクロナス・リソースを使って、再生オーディオデータをアイソクロナス転送する。ＡＶレシーバー１１が、ＣＤプレーヤー１２からの再生オーディオデータのアイソクロナス・パケットを受信すると（Ｓ５８）、この受信データをデコード開始し（Ｓ５８）、スピーカー２１へオーディオ信号を出力し、スピーカー２１から再生音が流れる。
【００２７】
図６は割当てを受けたアイソクロナス・リソースを解放する処理のフローチャートである。ユーザがＣＤプレーヤー操作用ＧＵＩ画面３０においてイグズィットキーアイコン３２を選択、確定すると（Ｓ６６）、ＣＤプレーヤー操作用ＧＵＩ画面３０においてユーザが停止（この停止とはｓｔｏｐを意味し、一時停止としてのｐａｕｓｅは含まない。）を操作して、ＣＤプレーヤー１２が停止状態になっているか否かを判断し（Ｓ６７）、もし、ユーザが再生の停止状態下でＣＤプレーヤー操作用ＧＵＩ画面３０を閉じようとするときは、アイソクロナス・リソースを解放してから（Ｓ６８）、ＣＤプレーヤー操作用ＧＵＩ画面３０を閉じて（Ｓ６９）、機器選択ＧＵＩ画面２８へ戻す。これに対して、ユーザが、再生の停止状態にしていないにもかかわらず、ＣＤプレーヤー操作用ＧＵＩ画面３０を閉じようとするときは、まだ、ＣＤプレーヤー１２はまだオーディオデータの転送中であるとして、ＣＤプレーヤー操作用ＧＵＩ画面３０は閉じるものの、アイソクロナス・リソースの解放は行わず、データ受信を継続する（Ｓ７４）。ＣＤプレーヤー操作用ＧＵＩ画面３０が閉じられると、ハンディリモコン２２の表示部２３は機器選択ＧＵＩ画面２８を表示する。機器選択ＧＵＩ画面２８において、ユーザが再度、ＣＤプレーヤー１２を選択したとき、すなわちＣＤプレーヤー操作用ＧＵＩ画面３０を再度、呼び出したときは、アイソクロナス・リソースを保持しているので、アイソクロナス・リソースの割当てを要請することなく、表示部２３をＣＤプレーヤー操作用ＧＵＩ画面３０へ切り替える。
【図面の簡単な説明】
【図１】ＡＶシステムの構成図である。
【図２】表示部における機器選択ＧＵＩ画面を例示する図である。
【図３】図２においてＣＤプレーヤーが選択されたときに表示されるＣＤプレーヤー操作用ＧＵＩ画面の表示例である。
【図４】ＣＤ等を再生してＣＤプレーヤー等からオーディオやビデオのＡＶデータを出力させる際の処理のフローチャートの第１の部分である。
【図５】ＣＤ等を再生してＣＤプレーヤー等からオーディオやビデオのＡＶデータを出力させる際の処理のフローチャートの第２の部分である。
【図６】割当てを受けたアイソクロナス・リソースを解放する処理のフローチャートである。
【符号の説明】
１０    ＡＶシステム（ＩＥＥＥ１３９４シリアルバス装備ＡＶシステム）
１１    ＡＶレシーバー（コントロール機器）
１２    ＣＤプレーヤー（記録媒体再生用ソース機器）
１３    ＭＤ録音・再生機（記録媒体再生用ソース機器）
１４    ＩＥＥＥ１３９４シリアルバス
２８    機器選択ＧＵＩ画面（再生用ソース機器選択ＧＵＩ画面）
３０    ＣＤプレーヤー操作用ＧＵＩ画面（ソース機器操作用ＧＵＩ画面）
【図１】
0003606423.tif 000002
【図２】
0003606423.tif 000003
【図３】
0003606423.tif 000004
【図４】
0003606423.tif 000005
【図５】
0003606423.tif 000006
【図６】
0003606423.tif 000007